(57)【要約】【課題】２画面を有する折り畳み可能な表示装置において特定のアプリを素早く利用可能な状態にすること。【解決手段】本体開き具合検知部１０１は、本体の開き具合がスタイル条件を満たす第１スタイル状態になったことを検知する。本体傾き検知部１０２は、本体の傾きがスタイル条件を満たす第２スタイル状態になったことを検知する。２画面表示制御部２００は、本体の開き具合が第１スタイル状態になり且つ本体の傾きが第２スタイル状態になったことが検知されると、それらのスタイル状態に対応付けられた第１アプリのアプリ画像を第１画面に表示させ、それらのスタイル状態に対応付けられた第２アプリのアプリ画像を第２画面に表示させる。スタイル処理実行部３００は、アプリ画像が表示されたアプリで行われる処理のうちスタイル状態に対応付けられた処理を実行する。【選択図】図４
2019067309.tif 000002
【特許請求の範囲】
【請求項１】
第１画面を有する第１筐体と、第２画面を有する第２筐体と、前記第１筐体及び前記第２筐体を折り畳み可能に連結する連結部とを有する本体と、
前記本体の開き具合が第１の状態になったことを少なくとも検知する検知部と、
前記開き具合が前記第１の状態になったことが検知されると、当該第１の状態に対応付けられた第１のアプリケーションの画像を前記第１画面に表示させる表示制御部と
を備える表示装置。
【請求項２】
前記検知部は、前記本体の傾きが第２の状態になったことも検知し、
前記表示制御部は、前記開き具合が前記第１の状態になり且つ前記傾きが前記第２の状態になったことが検知されると、当該第１及び第２の状態に対応付けられたアプリケーションの画像を前記第１のアプリケーションの画像として前記第１画面に表示させる
請求項１に記載の表示装置。
【請求項３】
前記開き具合が前記第１の状態になったことが検知されて前記第１のアプリケーションの画像が表示されると、当該第１のアプリケーションで行われる処理のうち当該第１の状態に対応付けられた処理を実行する実行部を備える
請求項１又は２に記載の表示装置。
【請求項４】
前記表示制御部は、前記開き具合が前記第１の状態になったことが検知されると、当該第１の状態に対応付けられた第２のアプリケーションの画像を前記第２画面に表示させる
請求項１から３のいずれか１項に記載の表示装置。
【請求項５】
前記表示制御部は、前記第２画面にアプリケーションの画像が表示されている場合に前記開き具合が前記第１の状態になったことが検知されると、当該第１の状態及び当該アプリケーションに対応付けられたアプリケーションの画像を前記第１のアプリケーションの画像として前記第１画面に表示させる
請求項１から４のいずれか１項に記載の表示装置。
【請求項６】
前記表示制御部は、前記開き具合が前記第１の状態になったことが検知されると、当該第１の状態及び現在時刻を含む時間帯に対応付けられたアプリケーションの画像を前記第１のアプリケーションの画像として前記第１画面に表示させる
請求項１から５のいずれか１項に記載の表示装置。
【請求項７】
自装置の位置を測定する測定部を備え、
前記表示制御部は、前記開き具合が前記第１の状態になったことが検知されると、当該第１の状態及び測定された位置に対応付けられたアプリケーションの画像を前記第１のアプリケーションの画像として前記第１画面に表示させる
請求項１から６のいずれか１項に記載の表示装置。
【発明の詳細な説明】
【技術分野】
【０００１】
本発明は、ユーザインターフェースの技術に関する。
【背景技術】
【０００２】
特許文献１には、マルチモニタに同一アプリケーションプログラムを複数起動した場合の表示領域の配置を適切に実施する技術が開示されている。
【先行技術文献】
【特許文献】
【０００３】
【特許文献１】特許２０１２−２７５６２号公報
【発明の概要】
【発明が解決しようとする課題】
【０００４】
２画面を有する折り畳み可能な表示装置を利用する場合、例えば２画面の開き具合（完全に折り曲げた状態、１８０度に開いた状態など）によってそれに適したアプリを利用することが考えられる。そのようなアプリは利用頻度が高くなることが想定されるので、素早く利用できる状態になっていると便利である。
そこで、本発明は、２画面を有する折り畳み可能な表示装置において特定のアプリを素早く利用可能な状態にすることを目的とする。
【課題を解決するための手段】
【０００５】
上記目的を達成するために、本発明は、第１画面を有する第１筐体と、第２画面を有する第２筐体と、前記第１筐体及び前記第２筐体を折り畳み可能に連結する連結部とを有する本体と、前記本体の開き具合が第１の状態になったことを少なくとも検知する検知部と、前記開き具合が前記第１の状態になったことが検知されると、当該第１の状態に対応付けられた第１のアプリケーションの画像を前記第１画面に表示させる表示制御部とを備える表示装置を提供する。
【０００６】
また、前記検知部は、前記本体の傾きが第２の状態になったことも検知し、前記表示制御部は、前記開き具合が前記第１の状態になり且つ前記傾きが前記第２の状態になったことが検知されると、当該第１及び第２の状態に対応付けられたアプリケーションの画像を前記第１のアプリケーションの画像として前記第１画面に表示させてもよい。
さらに、前記開き具合が前記第１の状態になったことが検知されて前記第１のアプリケーションの画像が表示されると、当該第１のアプリケーションで行われる処理のうち当該第１の状態に対応付けられた処理を実行する実行部を備えていてもよい。
【０００７】
また、前記表示制御部は、前記開き具合が前記第１の状態になったことが検知されると、当該第１の状態に対応付けられた第２のアプリケーションの画像を前記第２画面に表示させてもよい。
さらに、前記表示制御部は、前記第２画面にアプリケーションの画像が表示されている場合に前記開き具合が前記第１の状態になったことが検知されると、当該第１の状態及び当該アプリケーションに対応付けられたアプリケーションの画像を前記第１のアプリケーションの画像として前記第１画面に表示させてもよい。
【０００８】
また、前記表示制御部は、前記開き具合が前記第１の状態になったことが検知されると、当該第１の状態及び現在時刻を含む時間帯に対応付けられたアプリケーションの画像を前記第１のアプリケーションの画像として前記第１画面に表示させてもよい。
さらに、自装置の位置を測定する測定部を備え、前記表示制御部は、前記開き具合が前記第１の状態になったことが検知されると、当該第１の状態及び測定された位置に対応付けられたアプリケーションの画像を前記第１のアプリケーションの画像として前記第１画面に表示させてもよい。
【発明の効果】
【０００９】
本発明によれば、２画面を有する折り畳み可能な表示装置において特定のアプリを素早く利用可能な状態にすることができる。
【図面の簡単な説明】
【００１０】
【図１】実施例に係るスマートフォンの外観を表す図
【図２】スマートフォンのハードウェア構成を表す図
【図３】スマートフォン１のスタイルの例を表す図
【図４】スマートフォンが実現する機能構成を表す図
【図５】スタイル条件テーブルの一例を表す図
【図６】表示アプリテーブルの一例を表す図
【図７】アプリ処理テーブルの一例を表す図
【図８】スタイル表示処理における動作手順の一例を表す図
【図９】変形例の表示アプリテーブルの一例を表す図
【図１０】変形例の表示アプリテーブルの一例を表す図
【図１１】変形例の表示アプリテーブルの一例を表す図
【発明を実施するための形態】
【００１１】
［１］実施例
図１は実施例に係るスマートフォン１の外観を表す。スマートフォン１は、第１筐体１０と、第２筐体２０と、ヒンジ３０とを有する本体４０を備える。第１筐体１０及び第２筐体２０は、いずれも直方体の板状の形をした筐体である。第１筐体１０は長方形の形をした第１画面１１を有し、第２筐体２０は長方形の形をした第２画面２１を有する。第１画面１１には、電話の音声が出力されるスピーカ口１２が設けられている。第１画面１１及び第２画面２１は、筐体が異なる画面であり、物理的に分離されている画面である。
【００１２】
第１筐体１０及び第１画面１１は本発明の「第１筐体」及び「第１画面」の一例であり、第２筐体２０及び第２画面２１は本発明の「第２筐体」及び「第２画面」の一例である。なお、「第１」、「第２」という呼び方は便宜上のものであり、この対応関係に限定されるものではない。例えばスピーカ口１２が設けられている方の筐体を本発明の「第２筐体」の一例とし、もう一方の筐体を本発明の「第１筐体」の一例としても構わない。
【００１３】
ヒンジ３０は、第１筐体１０及び第２筐体２０を回転可能に連結するいわゆる蝶番である。ヒンジ３０は、回転軸を中心に回転可能な第１回転部材及び第２回転部材を有する。第１回転部材には、第１筐体１０のうちの第１画面１１の長辺側の端部１３が固定され、第２回転部材には、第２筐体２０のうちの第２画面２１の長辺側の端部２２が固定されている。
【００１４】
ヒンジ３０が回転することで、第１筐体１０及び第２筐体２０は、第１画面１１及び第２画面２１の成す角度（以下「ヒンジ角度」という）が０度となる閉じた状態から、ヒンジ角度が１８０度となる開いた状態を経て、ヒンジ角度が３６０度になって反対側に閉じた状態まで回転する。スマートフォン１では、ヒンジ角度が０度で筐体が閉じた状態では第１画面１１及び第２画面２１が外側を向き、ヒンジ角度が３６０度で筐体が反対側に閉じた状態では第１画面１１及び第２画面２１が内側を向くようになっている。
【００１５】
第１筐体１０及び第２筐体２０はいずれも板状の形をしているから、ヒンジ角度は第１筐体１０及び第２筐体２０の成す角度にもなる。ヒンジ角度は、本体４０の開き具合、すなわち第１筐体１０及び第２筐体２０の開き具合を表す値である。ヒンジ角度を１８０度から０度又は３６０度にすると、第１筐体１０及び第２筐体２０が折り畳まれた形になる。このように、ヒンジ３０は、第１筐体１０及び第２筐体２０を折り畳み可能に連結する。ヒンジ３０は本発明の「連結部」の一例である。
【００１６】
図２はスマートフォン１のハードウェア構成を表す。スマートフォン１は、プロセッサ２と、メモリ３と、ストレージ４と、通信装置５と、入力装置６と、出力装置７と、センサ群８と、バス９という各装置を備えるコンピュータである。これらの各装置は概ね本体４０の内部に収められている（画面のように一部外部に露出している部分を有する装置もある）。なお、ここでいう「装置」という文言は、回路、デバイス及びユニット等に読み替えることができる。また、各装置は、１つ又は複数含まれていてもよいし、一部の装置が含まれていなくてもよい。
【００１７】
プロセッサ２は、例えば、オペレーティングシステムを動作させてコンピュータ全体を制御する。プロセッサ２は、周辺装置とのインターフェース、制御装置、演算装置、レジスタなどを含む中央処理装置（ＣＰＵ：Central Processing Unit）で構成されてもよい。また、プロセッサ２は、ＯＳ（Operating System：オペレーティングシステム）及び各種のアプリケーション（以下では簡単に「アプリ」ともいう）を含むプログラム（プログラムコード）、ソフトウェアモジュール及びデータ等を、ストレージ４及び／又は通信装置５からメモリ３に読み出し、これらに従って各種の処理を実行する。
【００１８】
プロセッサ２は、アプリケーションとして、例えばブラウザ、ＳＮＳ（Social Networking Service）アプリ、電子メールアプリ、電話アプリ、電話帳アプリ、地図アプリ、動画再生アプリ、書籍閲覧アプリ、文書作成アプリ、カメラアプリ等を実行する。各種処理を実行するプロセッサ２は１つでもよいし、２以上であってもよく、２以上のプロセッサ２は、同時又は逐次に各種処理を実行してもよい。また、プロセッサ２は、１以上のチップで実装されてもよい。プログラムは、電気通信回線を介してネットワークから送信されてもよい。
【００１９】
メモリ３は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等の少なくとも１つで構成されてもよい。メモリ３は、レジスタ、キャッシュ及びメインメモリ（主記憶装置）等と呼ばれてもよい。メモリ３は、前述したプログラム（プログラムコード）、ソフトウェアモジュール及びデータ等を保存することができる。
【００２０】
ストレージ４は、コンピュータが読み取り可能な記録媒体であり、例えば、ハードディスクドライブ、フレキシブルディスク、フラッシュメモリ（例えば、カード、スティック、キードライブ）、磁気ストリップなどの少なくとも１つで構成されてもよい。ストレージ４は、補助記憶装置と呼ばれてもよい。上述の記憶媒体は、例えば、メモリ３及び／又はストレージ４を含むデータベース、サーバその他の適切な媒体であってもよい。
【００２１】
通信装置５は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。入力装置６は、外部からの入力を受け付ける入力デバイス（例えば、マイクロフォン、スイッチ、ボタン、センサなど）である。出力装置７は、外部への出力を実施する出力デバイス（例えば、ディスプレイ、スピーカ、ＬＥＤランプなど）である。スマートフォン１においては、入力装置６及び出力装置７は、一体となってタッチスクリーンを構成している。
【００２２】
センサ群８は、各種のセンサを有する。センサ群８は、前述した本体４０の開き具合を示すヒンジ角度を測定するためのセンサとして、例えばヒンジ３０に設けられたひずみセンサを有する。このひずみセンサは、ヒンジ角度が大きくなるほどひずみが大きくなるように設けられている。
【００２３】
また、センサ群８は、本体４０の傾きを測定するためのセンサとして、例えば３軸の磁気センサを有する。本体４０の傾きは、２つの基準方向と、鉛直方向、南北方向及び東西方向との成す６つの角度によって表され、３軸の磁気センサが測定する値はそれら６つの角度を表す。本実施例では、２つの基準方向として、図１に表す第１画面１１の中心Ｐ１から延びる法線の方向を基準方向Ａ１と、同じ中心Ｐ１から第１画面１１の長辺に沿ってスピーカ口１２の方に伸びる方向を基準方向Ａ２とが用いられる。
【００２４】
なお、センサ群８が有するセンサは、前述したひずみセンサ及び磁気センサに限らず、本体４０の開き具合及び本体４０の傾きを表す値を出力するものであれば、どのようなセンサが用いられてもよい。プロセッサ２及びメモリ３等の各装置は、情報を通信するためのバス９を介して互いにアクセス可能となっている。バス９は、単一のバスで構成されてもよいし、装置間で異なるバスで構成されてもよい。
【００２５】
また、スマートフォン１は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、及び、ＦＰＧＡ（Field Programmable Gate Array）等のハードウェアを含んで構成されてもよく、当該ハードウェアにより、各機能ブロックの一部又は全てが実現されてもよい。例えば、プロセッサ２は、これらのハードウェアの少なくとも１つで実装されてもよい。
【００２６】
スマートフォン１は、折り畳み可能であることと、２画面に画像が表示されることで、様々な本体４０の開き具合（第１筐体１０及び第２筐体２０の開き具合。ヒンジ角度で表される）及び本体４０の傾き（本実施例では基準方向Ａ１の向きで表される）で利用される。特によく利用されると考えられる本体４０の開き具合及び本体４０の傾きの組み合わせをスタイルと呼ぶものとする。
【００２７】
図３はスマートフォン１のスタイルの例を表す。図３（ａ）〜（ｄ）では、ヒンジ３０の長手方向から見たスマートフォン１が表されている。図３（ａ）に表すように本体４０の開き具合（ヒンジ角度）が１８０度である場合を「全開スタイル」という。全開スタイルでは、第１画面１１及び第２画面２１が真っ直ぐに並んで（同一平面に含まれる状態になって）、１つの大きな画面としても用いることが可能となる。本体４０の開き具合が１８０度であれば、本体４０の傾きに関係なく全開スタイルであるものとする。
【００２８】
図３（ｂ）に表すように本体４０の開き具合が０度である場合を「全閉スタイル」という。この場合も、本体４０の傾きに関係なく全閉スタイルであるものとする。図３（ｃ）に表すように本体４０の開き具合が２４０度程度であり、且つ、本体４０の傾きを表す基準方向Ａ１が鉛直上方を向き、基準方向Ａ２が水平方向を向いている場合を、ノートＰＣ（Personal Computer）を利用するときの形に似ているので「ノートＰＣスタイル」という。
【００２９】
ノートＰＣスタイルでは、本体４０の開き具合及び本体４０の傾きに多少の相違（例えば本体４０の開き具合なら±２０度、本体４０の傾きなら±１０度）があっても許容する。図３（ｄ）に表すように本体４０の開き具合が６０度程度（例えば±１０度を許容）であり、且つ、本体４０の傾きを表す基準方向Ａ１が水平方向に対して３０度程度鉛直上方を向き（例えば±１０度を許容）、基準方向Ａ２が水平方向を向いている（例えば±１０度を許容）場合を、テントの形に似ているので「テントスタイル」という。
【００３０】
図３（ｅ）では斜め上方から見たスマートフォン１が表されている。図３（ｅ）に表すように本体４０の開き具合が９０度程度（例えば±４５度を許容）であり、且つ、本体４０の傾きを表す基準方向Ａ１が水平方向を向き（例えば±１０度を許容）、基準方向Ａ２が鉛直上方又は鉛直下方を向いている、つまり鉛直方向を向いている（例えば±１０度を許容）場合を「縦置きスタイル」という。
【００３１】
スマートフォン１のプロセッサ２がプログラムを実行して各部を制御することで以下に述べる機能群が実現される。
図４はスマートフォン１が実現する機能構成を表す。スマートフォン１は、本発明の「検知部」の一例であるスタイル条件検知部１００と、本発明の「表示制御部」の一例である２画面表示制御部２００と、本発明の「実行部」の一例であるスタイル処理実行部３００とを備える。
【００３２】
スタイル条件検知部１００は、スマートフォン１の本体４０の開き具合及び本体４０の傾きがスタイル条件を満たすことを検知する。スタイル条件とは、図３で述べた各スタイルであると判断するために満たさなければならない本体４０の開き具合及び本体４０の傾きの条件である。スタイル条件検知部１００は、本体開き具合検知部１０１と、本体傾き検知部１０２とを備える。
【００３３】
本体開き具合検知部１０１は、本体４０の開き具合がスタイル条件を満たす第１スタイル状態になったことを検知する。本体傾き検知部１０２は、本体４０の傾きがスタイル条件を満たす第２スタイル状態になったことを検知する。第１スタイル状態は本発明の「第１の状態」の一例であり、第２スタイル状態は本発明の「第２の状態」の一例である。
【００３４】
スタイル条件検知部１００は、スタイルと第１スタイル状態と第２スタイル状態とを対応付けたスタイル条件テーブルを記憶している。
図５はスタイル条件テーブルの一例を表す。図５の例では、「全開スタイル」には「１８０度」及び「条件なし」が、「全閉スタイル」には「０度」及び「条件なし」が、第１スタイル状態及び第２スタイル状態として対応付けられている。
【００３５】
「ノートＰＣスタイル」には、「２２０〜２６０度」及び「Ａ１：鉛直上方と０〜１０度、Ａ２：水平方向と±１０度」が第１スタイル状態及び第２スタイル状態として対応付けられている。「±１０度」とは、水平方向に対して鉛直上方に１０度（＋１０度）と、鉛直下方に１０度（−１０度）までを含むことを表している。「テントスタイル」には、「５０〜７０度」及び「Ａ１：水平方向と＋２０〜＋４０度、Ａ２：水平方向と±１０度」が、「縦置きスタイル」には、「４５〜１３５度」及び「Ａ１：水平方向と±１０度、Ａ２：鉛直方向と０〜１０度」が、第１スタイル状態及び第２スタイル状態として対応付けられている。
【００３６】
本体開き具合検知部１０１は、センサ群８により測定されたヒンジ角度が０度、４５〜１３５度に含まれる角度、１８０度又は２２０〜２６０度に含まれる角度のいずれかである場合に、本体４０の開き具合が第１スタイル状態になったことを検知する。本体開き具合検知部１０１は、第１スタイル状態を検知すると、検知した第１スタイル状態に対応するスタイルを本体傾き検知部１０２に通知する。
【００３７】
本体傾き検知部１０２は、センサ群８により測定された基準方向Ａ１及びＡ２の成す上記６つの角度が、通知されたスタイルに対応付けられた第２スタイル状態の範囲に含まれている場合に、本体４０の傾きが第２スタイル状態になったことを検知する。例えばノートＰＣスタイルが通知された場合、本体傾き検知部１０２は、基準方向Ａ１と鉛直上方の成す角度が０〜１０度で、基準方向Ａ２と水平方向の成す角度が±１０度であれば、本体４０の傾きが第２スタイル状態になったことを検知する。
【００３８】
このように、第２スタイル状態は第１スタイル状態が検知された場合にのみ検知される。従って、第２スタイル状態が検知されると、検知された第１スタイル状態との組み合わせによりスマートフォン１のスタイルが表されることになる。スタイル条件検知部１００は、本体開き具合検知部１０１及び本体傾き検知部１０２による検知結果を２画面表示制御部２００及びスタイル処理実行部３００に供給する。
【００３９】
２画面表示制御部２００は、アプリにおいて画面に表示させるために用意された画像であるアプリ画像を第１画面１１及び第２画面２１に表示させる制御を行う。２画面表示制御部２００は、第１表示制御部２０１と、第２表示制御部２０２とを備える。第１表示制御部２０１は、アプリ画像を第１画面１１に表示させ、第２表示制御部２０２は、アプリ画像を第２画面２１に表示させる。
【００４０】
２画面表示制御部２００は、スタイルと、アプリ画像を第１画面１１に表示させる第１アプリと、アプリ画像を第２画面２１に表示させる第２アプリとを対応付けた表示アプリテーブルを記憶している。
図６は表示アプリテーブルの一例を表す。図６の例では、「全開スタイル」には「書籍閲覧アプリ」及び「なし」が第１アプリ及び第２アプリとして対応付けられている。「なし」とは表示させるアプリがないことを意味している。
【００４１】
同様に、「全閉スタイル」には「ＳＮＳアプリ」及び「なし」が、「ノートＰＣスタイル」には「文書作成アプリ」及び「キーボードアプリ」が第１アプリ及び第２アプリとして対応付けられている。また、「テントスタイル」には「動画再生アプリ」及び「動画再生アプリ」が、「縦置きスタイル」には「スイング撮影アプリ」及び「なし」が第１アプリ及び第２アプリとして対応付けられている。
【００４２】
第１表示制御部２０１は、スタイル条件検知部１００から供給された検知結果が全開スタイルを表している場合、全開スタイルに対応付けられた第１アプリである書籍閲覧アプリのアプリ画像を第１画面１１に表示させる。その際、第１表示制御部２０１は、書籍閲覧アプリがまだ起動されていなければ起動させてからそのアプリ画像を表示させる。
【００４３】
なお、スマートフォン１では、起動されたアプリのアプリ画像が表示されていなくてもバックグラウンドで動作していてアプリ画像が一時的に保存されている場合がある。そのように書籍閲覧アプリがバックグラウンドで動作している場合は、第１表示制御部２０１は、書籍閲覧アプリを起動させることなく一時的に保存されているアプリ画像を読み出して表示させ、表示される情報に更新がある場合には更新された情報を表示させる。
【００４４】
一方、全開スタイルには第２アプリが対応付けられていないので、第２表示制御部２０２は動作を行わない。このように、第１スタイル状態だけでスタイルが表される場合、スタイルに対応付けられた情報（図６の例ではアプリ）は、第１スタイル状態に対応付けられていることにもなる。従って、２画面表示制御部２００は、本体４０の開き具合が第１スタイル状態になったことが検知されると、第１スタイル状態（言い換えると第１スタイル状態が表すスタイル）に対応付けられた第１アプリのアプリ画像を第１画面１１に表示させることになる。
【００４５】
スタイル条件検知部１００から供給された検知結果がノートＰＣスタイルを表している場合、第１表示制御部２０１は、ノートＰＣスタイルに対応付けられた文書作成アプリのアプリ画像を第１画面１１に表示させ、第２表示制御部２０２は、ノートＰＣスタイルに対応付けられたキーボードアプリのアプリ画像を第２画面２１に表示させる。このように、第１スタイル状態及び第２スタイル状態によってスタイルが表される場合、スタイルに対応付けられた情報（図６の例ではアプリ）は、第１スタイル状態及び第２スタイル状態に対応付けられていることにもなる。
【００４６】
従って、２画面表示制御部２００は、本体４０の開き具合が第１スタイル状態になり且つ本体４０の傾きが第２スタイル状態になったことが検知されると、それらのスタイル状態（言い換えると第１スタイル状態及び第２スタイル状態が表すスタイル）に対応付けられた第１アプリのアプリ画像を第１画面１１に表示させ、それらのスタイル状態に対応付けられた第２アプリのアプリ画像を第２画面２１に表示させることになる。
【００４７】
第１画面１１にアプリ画像が表示される第１アプリは本発明の「第１のアプリケーション」の一例であり、第２画面２１にアプリ画像が表示される第２アプリは本発明の「第２のアプリケーション」の一例である。２画面表示制御部２００は、スタイル状態に対応付けられたアプリのアプリ画像を表示させると、その旨をスタイル処理実行部３００に通知する。
【００４８】
スタイル処理実行部３００は、アプリ画像が表示されたアプリで行われる処理のうちスタイル状態に対応付けられた処理を実行する。スタイル処理実行部３００は、スタイルと、実行する第１アプリの処理（第１アプリ処理）と、実行する第２アプリの処理（第２アプリ処理）とを対応付けたアプリ処理テーブルを記憶している。
【００４９】
図７はアプリ処理テーブルの一例を表す。図７の例では、「全開スタイル」には「２画面全体表示」及び「なし」が第１アプリ処理及び第２アプリ処理として対応付けられている。２画面全体表示とは、ＯＳの機能により、第１画面１１及び第２画面２１を合わせた１つの大きな画面の全体に１つのアプリのアプリ画像を表示させることをいう。「なし」とは実行させる処理がないことを意味している。
【００５０】
「全閉スタイル」及び「ノートＰＣスタイル」にはいずれも処理が対応付けられていない。「テントスタイル」には「再生開始」及び「再生開始」が、「縦置きスタイル」には「撮影開始」及び「測定開始」が、第１アプリ処理及び第２アプリ処理として対応付けられている。スタイル処理実行部３００は、スタイル条件検知部１００から供給された検知結果が全開スタイルを表している場合に、２画面表示制御部２００から書籍閲覧アプリを第１画面１１に表示させた旨が通知されると、ＯＳの機能を用いてその書籍閲覧アプリのアプリ画像を２画面全体表示にする処理を第１アプリ処理として実行する。
【００５１】
スタイル処理実行部３００は、全開スタイルには第２アプリ処理が対応付けられていないので、第２画面２１に表示されているアプリ画像があったとしてもそのアプリの処理は実行しない。このように、第１スタイル状態だけでスタイルが表される場合、スタイル処理実行部３００は、本体４０の開き具合が第１スタイル状態になったことが検知されて第１アプリのアプリ画像が表示されると、その第１アプリで行われる処理のうち第１スタイル状態に対応付けられた処理を実行する。
【００５２】
また、スタイル処理実行部３００は、スタイル条件検知部１００から供給された検知結果がテントスタイルを表している場合に、２画面表示制御部２００から動画再生アプリを第１画面１１及び第２画面２１にそれぞれ表示させた旨が通知されると、それらの動画再生アプリの機能を用いて動作を再生させる処理を第１アプリ処理及び第２アプリ処理として実行する。
【００５３】
このように、第１スタイル状態及び第２スタイル状態によってスタイルが表される場合、スタイル処理実行部３００は、本体４０の開き具合が第１スタイル状態になり且つ本体４０の傾きが第２スタイル状態になったことが検知されて第１アプリ及び第２アプリのアプリ画像が表示されると、第１アプリ及び第２アプリで行われる処理のうちそれらのスタイル状態に対応付けられた第１アプリ処理及び第２アプリ処理を実行する。
【００５４】
スマートフォン１は、上記の構成に基づいて、自装置のスタイルに応じてアプリ画像を表示させるスタイル表示処理を行う。
図８はスタイル表示処理における動作手順の一例を表す。この動作手順は、スマートフォン１の電源が投入されることを契機に開始され、所定の時間間隔（例えば０．５秒毎など）で繰り返し行われる。
【００５５】
まず、スマートフォン１（本体開き具合検知部１０１）は、ヒンジ角度を測定して本体４０の開き具合が第１スタイル状態になっていればそれを検知する（ステップＳ１１）。次に、スマートフォン１（本体傾き検知部１０２）は、基準方向Ａ１及びＡ２の向きを測定して本体４０の傾きが第２スタイル状態になっていればそれを検知する（ステップＳ１２）。
【００５６】
続いて、スマートフォン１（２画面表示制御部２００）は、本体４０の開き具合が第１スタイル状態になったことが検知されたか否かを判断し（ステップＳ１３）、検知されていない（ＮＯ）と判断した場合にはこの動作手順を終了する。スマートフォン１（２画面表示制御部２００）は、ステップＳ１３で検知された（ＹＥＳ）と判断した場合は、第１スタイル状態だけでスタイルが表されるか否かを判断する（ステップＳ１４）。
【００５７】
スマートフォン１（２画面表示制御部２００）は、ステップＳ１４で表されない（ＮＯ）と判断した場合は、さらに、本体４０の傾きが第２スタイル状態になったことが検知されたか否かを判断する（ステップＳ１５）。スマートフォン１（２画面表示制御部２００）は、ステップＳ１５で検知されていない（ＮＯ）と判断した場合にはこの動作手順を終了する。
【００５８】
スマートフォン１（２画面表示制御部２００）は、ステップＳ１５で検知された（ＹＥＳ）と判断した場合と、ステップＳ１４で第１スタイル状態だけでスタイルが表される（ＹＥＳ）と判断した場合に、検知されたスタイル状態に応じたアプリのアプリ画像を、第１画面１１及び第２画面２１の一方又は両方に表示させる（ステップＳ１６）。そして、スマートフォン１（スタイル処理実行部３００）は、検知されたスタイル状態に応じたアプリ処理を実行して（ステップＳ１７）、この動作手順を終了する。
【００５９】
本実施例では、スマートフォン１という２画面を有する折り畳み可能な表示装置において、特定のスタイル（例えば全開スタイル又は全閉スタイル）を表す本体４０の開き具合の状態（第１スタイル状態）が検知されると、その第１スタイル状態に対応付けられたアプリのアプリ画像が表示される。これにより、特定のスタイルにした後にさらに別の表示操作をしないとそのアプリ画像が表示されない場合に比べて、特定のアプリ（スタイルに対応付けられたアプリ）を素早く利用可能な状態にすることができる。
【００６０】
また、本実施例では、特定のスタイル（例えばノートＰＣスタイル、テントスタイル又は縦置きスタイル）を表す本体４０の開き具合の状態（第１スタイル状態）及び本体４０の傾きの状態（第２スタイル状態）が検知されると、それらのスタイル状態に対応付けられたアプリのアプリ画像が表示される。このように２つのスタイル状態を組み合わせることで、第１スタイル状態だけを用いる場合に比べて、前述したように素早く利用可能な状態にするアプリの種類を増やすことができる。
【００６１】
また、本実施例では、検知された第１スタイル状態に対応付けられたアプリのアプリ画像が表示されると、その第１スタイル状態に対応付けられたアプリ処理が実行される。これにより、特定のアプリにおいて最初に行われる処理が概ね決まっている場合に、その処理を実行させるユーザの手間を省くことができる。
【００６２】
［２］変形例
上述した実施例は本発明の実施の一例に過ぎず、以下のように変形させてもよい。
【００６３】
［２−１］スタイル状態に対応付けられたアプリ
スタイル状態に対応付けられたアプリは、図６の例で表すものに限られない。例えば、全開スタイルに対してブラウザが第１アプリとして対応付けられ、地図アプリが第２アプリとして対応付けられていてもよい。
【００６４】
この場合、２画面表示制御部２００は、本体４０の開き具合が第１スタイル状態になったことが検知されると、第１スタイル状態に対応付けられた第２アプリ（この例では地図アプリ）のアプリ画像を第２画面２１に表示させることになる。これにより、実施例のように素早く利用可能な状態になる特定のアプリを２つにすることができて、例えば、一緒に利用されることが多い２つのアプリを同時に利用可能な状態にすることができる。
【００６５】
また、第１画面１１又は第２画面２１には、ユーザの操作により予め何かのアプリのアプリ画像が表示されている場合がある。例えば第２画面２１にアプリ画像が表示されている場合に、２画面表示制御部２００は、本体４０の開き具合が第１スタイル状態になったことが検知されると、第１スタイル状態及びそのアプリに対応付けられた第１アプリのアプリ画像を第１画面１１に表示させてもよい。
【００６６】
２画面表示制御部２００は、第１画面１１にアプリ画像が表示されている場合は第１スタイル状態及びそのアプリに対応付けられた第２アプリのアプリ画像を第２画面２１に表示させる。また、２画面表示制御部２００は、第１スタイル状態に加えて第２スタイル状態が検知された場合は、第１スタイル状態、第２スタイル状態及び表示中のアプリに対応付けられた第１アプリ又は第２アプリのアプリ画像を表示させる。
【００６７】
２画面表示制御部２００は、スタイルと、一方の画面に表示中の表示アプリと、他方の画面に新たに表示させる新表示アプリとを対応付けた表示アプリテーブルを記憶しておく。
図９は本変形例の表示アプリテーブルの一例を表す。図９の例では、「全開スタイル」に、「電話帳アプリ」が表示中アプリで「電話アプリ」が新表示アプリとして対応付けられている。
【００６８】
また、「ノートＰＣスタイル」に、「楽器演奏アプリ」が表示中アプリで「楽譜表示アプリ」が新表示アプリとして対応付けられている。例えば第２画面２１に電話帳アプリが表示されていて全開スタイルを表す第１スタイル状態になったことが検知されると、２画面表示制御部２００は、全開スタイル及び電話帳アプリに対応付けられた電話アプリを第１画面１１に表示させる。
【００６９】
また、第１画面１１に楽器演奏アプリが表示されていてノートＰＣスタイルを表す第１スタイル状態及び第２スタイル状態になったことが検知されると、２画面表示制御部２００は、ノートＰＣスタイル及び楽器演奏アプリに対応付けられた楽譜表示アプリを第２画面２１に表示させる。図９の例によれば、表示中のアプリと共に利用されることが多いアプリをそれ以外のアプリに比べて素早く利用可能な状態にすることができる。
【００７０】
［２−２］スタイル状態
スタイル状態は実施例で述べたものに限らない。例えば各スタイル状態を示すヒンジ角度を変えてもよい（例えば全開スタイルにおいて第１スタイル状態を１８０度ではなく１７５度又は１７０度等にするなど）。また、各スタイル状態において許容される角度を変えてもよい（例えば±１０度を許容するところを±５度又は±１５度等にするなど）。
【００７１】
［２−３］スタイル
スマートフォンが取り得るスタイルは実施例で述べたものに限らない。例えば全開スタイルでも、床に置いたときのスタイル（基準方向Ａ１が鉛直上方を向く）と、手に持ったときのスタイル（基準方向Ａ１が水平方向よりやや鉛直上方を向く）とを異なるスタイルとしてもよい。
【００７２】
また、全閉スタイルでも、縦に持ったときのスタイル（基準方向Ａ２が鉛直上方の近くを向く）と、横に持ったときのスタイル（基準方向Ａ２が水平方向を向く）とを異なるスタイルとしてもよい。いずれの場合も、そのスタイルに特有の本体４０の開き具合及び傾きが決まっていて、そのスタイルでよく利用されるアプリが決まっているのであれば、実施例と同様に２画面表示制御部２００による表示及びスタイル処理実行部３００によるアプリ処理が実行されることで、特定のアプリを素早く利用可能な状態にすることができ、アプリ処理を実行させるユーザの手間を省くことができる。
【００７３】
［２−４］時間帯を考慮
２画面表示制御部２００は、スタイルに応じて表示させるアプリを決める際に、時間帯を考慮してもよい。その場合、２画面表示制御部２００は、スタイルと、時間帯と、第１アプリと、第２アプリとを対応付けた表示アプリテーブルを記憶しておく。
図１０は本変形例の表示アプリテーブルの一例を表す。図１０の例では、「全開スタイル」に、「朝食の時間帯」では「新聞閲覧アプリ」及び「天気予報アプリ」が、「夕食前の時間帯」では「店舗検索アプリ」及び「地図アプリ」が、第１アプリ及び第２アプリとして対応付けられている。
【００７４】
例えば全開スタイルを表す第１スタイル状態になったことが検知された場合、２画面表示制御部２００は、それが朝食の時間帯であれば、それらのスタイル及び時間帯に対応付けられた新聞閲覧アプリを第１画面１１に表示させ且つ天気予報アプリを第２画面２１に表示させる。また、それが夕食前の時間帯であれば、２画面表示制御部２００は、それらのスタイル及び時間帯に対応付けられた店舗検索アプリを第１画面１１に表示させ且つ地図アプリを第２画面２１に表示させる。
【００７５】
この場合、２画面表示制御部２００は、本体４０の開き具合が第１スタイル状態になったことが検知されると、第１スタイル状態及び現在時刻を含む時間帯（現在の時間帯）に対応付けられた第１アプリのアプリ画像を第１画面１１及び第２画面２１に表示させることになる。また、「テントスタイル」には第１アプリ及び第２アプリとして、「朝食の時間帯」ではいずれも「テレビアプリ」が、「週末日中の時間帯」ではいずれも「配信動画閲覧アプリ」が対応付けられている。
【００７６】
テントスタイルを表す第１スタイル状態及び第２スタイル状態になったことが検知された場合、２画面表示制御部２００は、それが朝食の時間帯であれば、それらのスタイル及び時間帯に対応付けられたテレビアプリを第１画面１１及び第２画面２１に表示させ、それが週末日中の時間帯であれば、それらのスタイル及び時間帯に対応付けられた配信動画閲覧アプリを第１画面１１及び第２画面２１に表示させる。
【００７７】
この場合、２画面表示制御部２００は、本体４０の開き具合が第１スタイル状態になったことが検知され且つ本体４０の傾きが第２スタイル状態になったことが検知されると、第１スタイル状態、第２スタイル状態及び現在の時間帯に対応付けられた第１アプリ及び第２アプリのアプリ画像を第１画面１１及び第２画面２１にそれぞれ表示させることになる。図１０の例によれば、特定の時間帯に利用されることが多いアプリがある場合、その時間帯においてはそのアプリを他のアプリに比べて素早く利用可能な状態にすることができる。
【００７８】
なお、本変形例では、スタイル処理実行部３００が、本体４０の開き具合が第１スタイル状態になったことが検知されて第１アプリのアプリ画像が表示されると、その第１アプリで行われる処理のうち第１スタイル状態及び現在の時間帯に対応付けられた処理を実行してもよい。例えば朝食の時間帯に全開スタイルにして第１アプリとして新聞閲覧アプリが表示された場合に、第２アプリを表示するのではなく第１アプリを２画面全体表示にする処理をスタイル処理実行部３００が行ってもよい。
【００７９】
また、朝食の時間帯にテントスタイルにして第１及び第２アプリとしてテレビアプリが表示された場合に、ユーザが設定しておいた好みのチャンネルに切り替える処理をスタイル処理実行部３００が行ってもよい。これにより、特定の時間帯に利用されることが多いアプリにおいて最初に行われる処理が概ね決まっている場合に、その処理を実行させるユーザの手間を省くことができる。
【００８０】
［２−５］現在位置を考慮
２画面表示制御部２００は、スタイルに応じて表示させるアプリを決める際に、スマートフォンの現在位置を考慮してもよい。本変形例では、図２に表すセンサ群８が、ＧＰＳ（Global Positioning System）等の位置を測定するセンサを有する。自装置の位置を測定するセンサ群８は本発明の「測定部」の一例である。２画面表示制御部２００は、センサ群８が測定する位置情報と、オフィス、自宅、繁華街及び登山道等の現在位置とを対応付けた現在位置テーブルを記憶しておく。
【００８１】
また、２画面表示制御部２００は、スタイルと、現在位置と、第１アプリと、第２アプリとを対応付けた表示アプリテーブルを記憶しておく。
図１１は本変形例の表示アプリテーブルの一例を表す。図１１の例では、「全開スタイル」に、「繁華街」では「店舗検索アプリ」及び「地図アプリ」が、「登山道」では「山道地図アプリ」及び「山の天気アプリ」が、第１アプリ及び第２アプリとして対応付けられている。
【００８２】
例えば全開スタイルを表す第１スタイル状態になったことが検知された場合、２画面表示制御部２００は、センサ群８が測定した現在位置が現在位置テーブルにおいて繁華街に含まれることを示していれば、それらのスタイル及び現在位置に対応付けられた店舗検索アプリを第１画面１１に表示させ且つ地図アプリを第２画面２１に表示させる。また、現在位置が登山道であれば、２画面表示制御部２００は、それらのスタイル及び現在位置に対応付けられた山道地図アプリを第１画面１１に表示させ且つ山の天気アプリを第２画面２１に表示させる。
【００８３】
この場合、２画面表示制御部２００は、本体４０の開き具合が第１スタイル状態になったことが検知されると、第１スタイル状態及び測定された現在位置に対応付けられた第１アプリのアプリ画像を第１画面１１及び第２画面２１に表示させることになる。また、「テントスタイル」に、「オフィス」では「メモアプリ」及び「プレゼンアプリ」が、「自宅」ではどちらも「動画再生アプリ」が、第１アプリ及び第２アプリとして対応付けられている。
【００８４】
テントスタイルを表す第１スタイル状態及び第２スタイル状態になったことが検知された場合、２画面表示制御部２００は、現在位置がオフィスであれば、それらのスタイル及び現在位置に対応付けられたメモアプリを第１画面１１に表示させ且つプレゼンアプリを第２画面２１に表示させる。また、現在位置が自宅であれば、２画面表示制御部２００は、それらのスタイル及び現在位置に対応付けられた動画再生アプリを第１画面１１及び第２画面２１に表示させる。
【００８５】
この場合、２画面表示制御部２００は、本体４０の開き具合が第１スタイル状態になったことが検知され且つ本体４０の傾きが第２スタイル状態になったことが検知されると、第１スタイル状態、第２スタイル状態及び現在位置に対応付けられた第１アプリ及び第２アプリのアプリ画像を第１画面１１及び第２画面２１にそれぞれ表示させることになる。図１１の例によれば、特定の場所で利用されることが多いアプリがある場合、その場所においてはそのアプリを他のアプリに比べて素早く利用可能な状態にすることができる。
【００８６】
なお、本変形例では、スタイル処理実行部３００が、上記の第１スタイル状態が検知されて第１アプリのアプリ画像が表示されると、その第１アプリで行われる処理のうち第１スタイル状態及び現在位置に対応付けられた処理を第１アプリ処理として実行してもよい。図１１の例であれば、スタイル処理実行部３００は、例えば山道地図アプリで現在位置を含むエリアの地図を表示させる処理と、山の天気アプリでそのエリアの天気を表示させる処理とを実行する。
【００８７】
また、スタイル処理実行部３００は、第１スタイル状態及び第２スタイル状態が検知されて第１アプリ（又は第２アプリ）のアプリ画像が表示された場合に、その第１アプリ（又は第２アプリ）で行われる処理のうち第１スタイル状態、第２スタイル状態及び現在位置に対応付けられた処理を第１アプリ処理（又は第２アプリ処理）として実行してもよい。
【００８８】
図１１の例であれば、スタイル処理実行部３００は、プレゼンアプリのスライドショーを開始させる処理を実行したり、動画再生アプリで前回の続きから再生する処理を実行したりする。これにより、特定の場所で利用されることが多いアプリにおいて最初に行われる処理が概ね決まっている場合に、その処理を実行させるユーザの手間を省くことができる。
【００８９】
［２−６］第１アプリ等の設定
上述した第１アプリ、第２アプリ、第１アプリ処理及び第２アプリ処理は、予め決められていたが、ユーザが設定したものをスタイル条件検知部１００が用いてもよい。また、スタイル条件検知部１００が、ユーザのアプリの利用履歴から、ユーザがよく利用するアプリ（例えば一定期間に利用された回数が最も多いアプリ）を第１アプリ及び第２アプリとして設定して用いてもよい。また、スタイル処理実行部３００が、ユーザのアプリの利用履歴から、ユーザがよく実行させる処理を第１アプリ処理又は第２アプリ処理として設定して用いてもよい。いずれの場合も、各ユーザの好みに合ったアプリを表示させ、アプリ処理を実行させることができる。
【００９０】
［２−７］本体の傾き
本体４０の傾きは、実施例とは異なる方法で表されてもよい。例えば、基準方向を１つにしてもよい。基準方向Ａ１だけを用いれば、第１画面１１が向いている向きで本体４０の傾きが表され、基準方向Ａ２だけを用いれば、第１画面１１の上下方向（長辺に沿った方向）が向いている向きで本体４０の傾きが表されることになる。
【００９１】
また、実施例とは異なる基準方向を用いてもよい。例えば、第１画面１１の短辺に沿った方向を用いてもよいし、第２画面２１の法線の方向を用いてもよい。要するに、本体４０が備える第１画面１１及び第２画面２１のうちの少なくとも一方について、正面方向（画面の法線の方向）と上下方向（画面の長手方向）がどちらに向いているかが分かるのであれば、どのような基準方向が用いられてもよい。
【００９２】
［２−８］連結部
スマートフォン１のヒンジ３０は、ヒンジ角度が０度から３６０度まで変化するよう第１筐体１０及び第２筐体２０を回転可能に連結したが、その間の任意の範囲でヒンジ角度が変化するように連結してもよい。また、実施例では、ヒンジ３０が、ヒンジ角度が０度になったときに第１画面１１及び第２画面２１が外側を向くように第１筐体１０及び第２筐体２０を連結したが、その反対に、ヒンジ角度が０度になったときに第１画面１１及び第２画面２１が内側を向くように第１筐体１０及び第２筐体２０を連結してもよい。
【００９３】
［２−９］発明のカテゴリ
本発明は、スマートフォンに限らず、例えばタブレット端末にも適用可能である。本発明は、２画面を有する表示装置であって図４に表す各機能を実現するものであれば適用することができる。また、本発明は、そのような表示装置の他、表示装置が実施する処理を実現するための情報処理方法としても捉えられるし、表示装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【００９４】
［２−１０］処理手順等
本明細書で説明した各実施例の処理手順、シーケンス、フローチャートなどは、矛盾がない限り、順序を入れ替えてもよい。例えば、本明細書で説明した方法については、例示的な順序で様々なステップの要素を提示しており、提示した特定の順序に限定されない。
【００９５】
［２−１１］入出力された情報等の扱い
入出力された情報等は特定の場所(例えばメモリ)に保存されてもよいし、管理テーブルで管理してもよい。入出力される情報等は、上書き、更新、又は追記され得る。出力された情報等は削除されてもよい。入力された情報等は他の装置へ送信されてもよい。
【００９６】
［２−１２］ソフトウェア
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９７】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００９８】
［２−１３］情報、信号
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９９】
［２−１４］「に基づいて」の意味
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１００】
［２−１５］「及び」、「又は」
本明細書において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【０１０１】
［２−１６］態様のバリエーション等
本明細書で説明した各実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１０２】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０３】
１…スマートフォン、１０…第１筐体、１１…第１画面、２０…第２筐体、２１…第２画面、３０…ヒンジ、１００…スタイル条件検知部、１０１…本体開き具合検知部、１０２…本体傾き検知部、２００…２画面表示制御部、２０１…第１表示制御部、２０２…第２表示制御部、３００…スタイル処理実行部。
【図１】
2019067309.tif 000003
【図２】
2019067309.tif 000004
【図３】
2019067309.tif 000005
【図４】
2019067309.tif 000006
【図５】
2019067309.tif 000007
【図６】
2019067309.tif 000008
【図７】
2019067309.tif 000009
【図８】
2019067309.tif 000010
【図９】
2019067309.tif 000011
【図１０】
2019067309.tif 000012
【図１１】
2019067309.tif 000013
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
第１画面を有する第１筐体と、第２画面を有する第２筐体と、前記第１筐体及び前記第２筐体を折り畳み可能に連結する連結部とを有する本体と、
前記本体の開き具合が第１の状態になったことと、前記本体の傾きが第２の状態になったことを検知する検知部と、
前記開き具合が前記第１の状態になり且つ前記傾きが前記第２の状態になったことが検知されると、当該第１及び第２の状態に対応付けられた第１のアプリケーションの画像を前記第１画面に表示させる表示制御部と
を備える表示装置。
【請求項２】
前記開き具合が前記第１の状態になり且つ前記傾きが前記第２の状態になったことが検知されて前記第１のアプリケーションの画像が表示されると、当該第１のアプリケーションで行われる処理のうち当該第１及び第２の状態に対応付けられた処理を実行する実行部を備える
請求項１に記載の表示装置。
【請求項３】
前記表示制御部は、前記開き具合が前記第１の状態になり且つ前記傾きが前記第２の状態になったことが検知されると、当該第１及び第２の状態に対応付けられた第２のアプリケーションの画像を前記第２画面に表示させる
請求項１又は２に記載の表示装置。
【請求項４】
前記表示制御部は、前記第２画面にアプリケーションの画像が表示されている場合に前記開き具合が前記第１の状態になり且つ前記傾きが前記第２の状態になったことが検知されると、当該第１の状態、当該第２の状態及び当該アプリケーションに対応付けられたアプリケーションの画像を前記第１のアプリケーションの画像として前記第１画面に表示させる
請求項１から３のいずれか１項に記載の表示装置。
【請求項５】
前記表示制御部は、前記開き具合が前記第１の状態になり且つ前記傾きが前記第２の状態になったことが検知されると、当該第１の状態、当該第２の状態及び現在時刻を含む時間帯に対応付けられたアプリケーションの画像を前記第１のアプリケーションの画像として前記第１画面に表示させる
請求項１から４のいずれか１項に記載の表示装置。
【請求項６】
自装置の位置を測定する測定部を備え、
前記表示制御部は、前記開き具合が前記第１の状態になり且つ前記傾きが前記第２の状態になったことが検知されると、当該第１の状態、当該第２の状態及び測定された位置に対応付けられたアプリケーションの画像を前記第１のアプリケーションの画像として前記第１画面に表示させる
請求項１から５のいずれか１項に記載の表示装置。